(57)【要約】【課題】飾り具の固定性とキャップを飲み込んでしまった場合の安全性と装飾性に優れ、かつキャップ同士が連結出来て娯楽性や収納性にも優れた筆記具用キャップを提供する。【解決手段】外筒部２１に凹部が２箇所ある略四角形形状のキャップ本体２０に天井部４１と表示部４２が略直角形状で構成された飾り具４０をキャップ本体２０に嵌合することで、飾り具４０の表示部４２がキャップ本体２０の一箇所の凹部を凸部にする。凹部と凸部のあるキャップ２が形成されることで、キャップ２の表示部４２である凸部は、同じ形状である別キャップの凹部２６に嵌合することで連結可能とした。【選択図】図８
2010120370.tif 000002
【特許請求の範囲】
【請求項１】
筆記先端部にペン先を有する筆記具本体に対し、前記ペン先を覆うよう着脱可能に嵌合する筆記具用キャップであって、キャップはキャップ本体と飾り具から構成され、キャップ本体は、外周面と天井面で構成された外筒部を形成し、前記外周面の中心対称二箇所に凹部を設け、前記飾り具がキャップ本体と嵌合することで前記二箇所のうち片側一箇所に凸部が形成され、残った片側一箇所の前記凹部と、別体で前記キャップ本体と前記飾り具で組み立てられたキャップの前記凸部とが嵌合可能であることを特徴とする筆記具用キャップ。
【請求項２】
前記キャップ本体は、天井面中心に穴が形成され、穴に被取付段部が形成され、外筒部平面の凹部一面にはスライド部が形成され、前記凹部一面の中心対称面に設けられた凹部一面には係合突起が形成され、前記飾り具は略長方形の表示部と天井部で構成され、天井部にはキャップ本体の前記穴に嵌合する取付段部と、表示部の背面にはキャップ本体の前記スライド部と嵌合する被スライド部が形成され、前記飾り具は前記キャップ本体の天井部からスライドしてキャップ本体に嵌合することを特徴とする請求項１記載の筆記具用キャップ。
【請求項３】
前記飾り具の表示部の側面部には、キャップ本体の係合突起と嵌合する嵌合突起が形成されている請求項２記載の筆記具用キャップ。
【請求項４】
天井部の側面にはキャップ本体の前記係合突起と嵌合する係合溝が形成されている請求項３記載の筆記具用キャップ。
【請求項５】
前記飾り具の表示部と天井部は略直角で構成されている請求項４記載の筆記具用キャップ。
【請求項６】
前記キャップ本体の外筒部における外周面は、４面以上の平面部を組み合わせた形状である請求項５記載の筆記具用キャップ。
【請求項７】
前記キャップ本体は、前記ペン先を囲繞し外部空間との空気の流通を遮断する内筒部を形成し、外筒部の天井面には空気流通可能な通気孔を設け、外筒部における内周面は前記筆記具本体の外周面との間に空気流通可能な空間がある請求項５又は６記載の筆記具用キャップ。
【発明の詳細な説明】
【技術分野】
【０００１】
この発明は、筆記具本体に対して着脱可能に設けられ、キャップ同士の連結が可能な筆記具用キャップに関する。
【背景技術】
【０００２】
筆記具に取り付けられるキャップは、未使用時におけるペン先への損傷防止が本来の目的であるが、他にも装飾性を目的として、クリップや装飾具を取り付けることがある。また、遊び要素を付与するためにキャップ同士を繋げることもある。
そこで、キャップ本体にくぼみと相対するふくらみを設けたキャップ（特許文献１）やキャップの係合凹部を設け、キャップとは別部品である連結部材によりキャップを接続する発明（特許文献２）が開示されている。また設計上、安全性とペン先のインク揮発防止の観点から内筒部と外筒部で構成され、貫通孔によりキャップ自体の通気が確保されているキャップ（特許文献３）も開示されている。
【先行技術文献】
【特許文献】
【０００３】
【特許文献１】実開昭５７−８６３７９
【特許文献２】特開２００６−３０５８２９
【特許文献３】特開平１０−２０３０７８
【発明の開示】
【発明が解決しようとする課題】
【０００４】
しかし、特許文献１のキャップは、ふくらみの構造上、くぼみとふくらみを上下方向にスライドしないとキャップの取り付けが困難である。特許文献２は、キャップの連結において連結部材とキャップの隙間があるため、キャップ同士の保持が不十分であり、更に連結部材のキャップへの取り付け強度が不足している。特許文献３のキャップについては、キャップを筆記具軸に取り付けた状態においては、キャップの通気孔が十分に確保されていない構造である。
【０００５】
そこで、本発明は上記の問題点を考慮し、キャップの連結性が容易でかつキャップ同士の保持と連結部材の固定力が十分であり、ペン先の気密性と筆記具軸に取り付けた際のキャップの通気性が確保された筆記具用キャップを提供することを目的とする。
【課題を解決するための手段】
【０００６】
本発明者は、上記課題等に取組み、以下の構成または構造を特徴とする本発明を完成するに至った。
（１）筆記先端部にペン先を有する筆記具本体に対し、前記ペン先を覆うよう着脱可能に嵌合する筆記具用キャップであって、キャップはキャップ本体と飾り具から構成され、キャップ本体は、外周面と天井面で構成された外筒部を形成し、前記外周面の中心対称二箇所に凹部を設け、飾り具が嵌合することで前記二箇所のうち片側一箇所に凸部が形成され、残った片側一箇所の前記凹部と、別体で前記キャップ本体と前記飾り具で組み立てられたキャップの前記凸部とが嵌合可能であることを特徴とする筆記具用キャップ。
（２）前記キャップ本体は、天井面中心に穴が形成され、穴に被取付段部が形成され、外筒部平面の凹部一面にはスライド部が形成され、前記凹部一面の中心対称面に設けられた凹部一面には係合突起が形成され、前記飾り具は略長方形の表示部と天井部で構成され、天井部にはキャップ本体の前記穴に嵌合する取付段部と、表示部の背面にはキャップ本体の前記スライド部と嵌合する被スライド部が形成され、前記飾り具は前記キャップ本体の天井部からスライドしてキャップ本体に嵌合することを特徴とする（１）記載の筆記具用キャップ。
（３）前記飾り具の表示部の側面部には、キャップ本体の係合突起と嵌合する嵌合突起が形成されている（２）記載の筆記具用キャップ。
（４）天井部の側面にはキャップ本体の前記係合突起と嵌合する係合溝が形成されている（３）記載の筆記具用キャップ。
（５）前記飾り具の表示部と天井部は略直角で構成されている（４）記載の筆記具用キャップ。
（６）前記キャップ本体の外筒部における外周面は、４面以上の平面部を組み合わせた形状である（５）記載の筆記具用キャップ。
（７）前記キャップ本体は、前記ペン先を囲繞し外部空間との空気の流通を遮断する内筒部を形成し、外筒部の天井面には空気流通可能な通気孔を設け、外筒部における内周面は前記筆記具本体の外周面との間に空気流通可能な空間がある（５）又は（６）記載の筆記具用キャップ。
【発明の効果】
【０００７】
本発明は上記のように構成されているので、次の効果を奏する。
キャップの平面部に凹凸を形成することにより、キャップとキャップとの連結がワンタッチで取り付けられることによって容易かつ平面部同士が密着するため連結の固定具合が向上して、より連結による楽しみが向上する。また連結可能になることにより、筆記具間の隙間が小さくなることから筆箱への収納性が向上する。内筒を形成することによりシール性を確保しつつ、通気孔と本体軸とキャップ外筒との隙間によって筆記具本体軸を取り付けてもより安全性が確保される。更に飾り具があることによる装飾性の向上が見込め、更にインク色の表示やペン芯径のサイズ等の表示が容易であるため、飾り具の交換だけで様々な表現が可能となる。更にキャップ本体と飾り具を三箇所で嵌合する構造であるため、キャップ本体と飾り具の固定が向上し、キャップ本体からの取り外れを回避することが可能となる。
【図面の簡単な説明】
【０００８】
【図１】本発明の実施形態に係るキャップを装着してなる筆記具を示す斜視図である。
【図２】本発明の実施形態に係るキャップを装着してなる筆記具を示す側面図である。
【図３】図２の筆記具を示す断面図である。
【図４】キャップ本体の部品図である。
【図５】飾り具の部品図である。
【図６】飾り具のキャップ本体への取り付け順を示した正面斜視図である。
【図７】飾り具のキャップ本体への取り付け順を示した背面斜視図である。
【図８】キャップとキャップの連結状態と連結方法を示した斜視図である。
【図９】キャップとキャップの連結状態を示した筆記具の平面図である。
【図１０】キャップとキャップの連結状態を示した筆記具の断面図である。
【図１１】キャップとキャップの連結状態を示した変形例１の外観図である。
【図１２】変形例１におけるキャップの部品図である。
【図１３】キャップとキャップの連結状態を示した変形例２及び３の外観図である。
【図１４】変形例２及び３におけるキャップの部品図である。
【図１５】変形例２におけるキャップ本体の部品図である。
【図１６】変形例２における飾り具の部品図である。
【図１７】変形例３におけるキャップ本体の部品図である。
【図１８】変形例３における飾り具の部品図である。
【発明を実施するための最良の形態】
【０００９】
次に、本発明の実施形態について、図面を参照して説明する。
本出願において、筆記するペン先側の方向を「上端」、その逆、インクタンク側の方向を「下端」としている。また図中において、同一の符号を示した部分については同一物としている。
【００１０】
本発明の実施形態を組み上げたときの外観を図１、図２に示す。これらの図に示す通り、ここに示す筆記具は、内部にインクを貯留すると共にペン先を保持する筆記具軸１と、この筆記具軸１に着脱可能に装着されるキャップ２からなる。
キャップ２はキャップ本体２０と飾り具４０から構成され、飾り具４０がキャップ本体２０に嵌合することでキャップ２が形成される。
【００１１】
本発明の実施形態である筆記具の断面図を図３に示す。
筆記具軸１は、主に軸体１０、ペン芯１１、インクタンク１２、バルブ１３、キャップ２と嵌合し、表面に突起のある外嵌合部１４で構成されたごく一般的なサインペンである。図３において、筆記具軸１とキャップ２は、外嵌合部１４でキャップの内筒部２２と嵌合されている。ペン芯１１の材質は、ごく一般的なサインペンで使われているフェルトやポリアセタール等である。ペン芯１１の先端は、外嵌合部１４とキャップの内筒部２２で形成された空間に閉ざされているため、ペン芯に含まれたインクの揮発を防止し、キャップ２を筆記具軸１から取り外した際の後の書き始めの描線カスレを防止することが出来る。筆記具軸１とキャップ２が嵌合した際は、キャップの外筒部２１と軸体１０との間には隙間が設けられ、飾り具４０側のキャップ上端部を銜えて呼吸しても空気の流通が確保されている。
【００１２】
キャップ本体２０の部品図を図４に示す。図４（ａ）はキャップ本体２０の上端からの側面図、図４（ｂ）はキャップ本体２０の平面図、図４（ｃ）はキャップ本体２０の正面図、図４（ｄ）は図４（ｃ）を下から見た図、図４（ｅ）はキャップ本体２０の下端からの側面図、図４（ｆ）は図４（ａ）のＡ−Ａ’断面図、図４（ｇ）は図４（ａ）のＢ−Ｂ’断面図である。
【００１３】
キャップ本体２０は外筒部２１と内筒部２２からなる。外筒部２１は外周面３２と天井面３１で構成される。天井面３１はキャップ本体２０の上端側に形成される。外周面３２は、キャップ同士が連結可能であれば、曲面を有しても問題ないが、連結状態の固定性や安定性を考慮すると、特に四角形、六角形、八角形等、略曲面の無い平面で構成されるほうが望ましい。外周面３２の一つの面に凹部２６が中心対象の面にもう１つの凹部２８が形成されている。キャップ取付時においては嵌合力を確保しつつ空気の流通を確保することから、外筒部２１の内径は軸体１０の外径より０．３ｍｍ程大きく成形するのが望ましい。外筒の天井面３１には、通気孔２３と中心には、被取付段部２４を備えたゲート穴２５が形成される。通気孔２３は、内筒部２２とゲート穴２５と接触しない位置で、外筒部２１の上端と下端で空気が流通するように貫通している。被取付段部２４は、ゲート穴２５の表面に形成される。被取付段部２４は、本出願の実施形態においては、円弧状の突起を二つ連ねて形成されているが、飾り具４０が嵌合すれば、特に形状や突起上限数の制限は無い。ゲート穴２５の底面には、キャップ本体２０の部品成形時のゲート残りが存在する。本実施形態では、ゲート穴の底面にゲート残りがあるが、飾り具４０と嵌合すれば、ゲートの位置はキャップ外筒部等にあっても問題はない。外筒部２１の表面には天井部から下端方向に向かって略中央部に渡り凹部２６が形成され、凹部２６の両側面には係合突起２７が形成される。凹部２６のゲート穴２５対称の外筒部２１の表面には凹部２８が形成される。凹部２８には、上端方向から見て凸形状のスライド突起２９が形成される。スライド突起２９は、スライド部に該当し、凸部の上面をゲート穴２５側に設けられている。内筒部２２の内側には、筆記具軸の外嵌合部１４と嵌合する内嵌合部３０が形成されている。内嵌合部３０は、円弧状の突起で形成されており、キャップ２を筆記具軸１に取り付けた状態において、外嵌合部１４に形成された円弧状の突起表面と接触して、ペン芯１１の先端周りの空気を密閉する構造となっている。
【００１４】
飾り具４０の部品図を図５に示す。図５（ａ）は飾り具４０の平面図、図５（ｂ）は飾り具４０の左側面図、図５（ｃ）は飾り具４０の正面図、図５（ｃ）は飾り具４０の正面図、図５（ｄ）は飾り具４０の右側面図である。図５（ｅ）は図５（ｃ）を下から見た図である。
【００１５】
飾り具４０は、キャップ２の天冠に該当する天井部４１とキャップ本体２０との嵌合時にキャップ側面に位置する略長方形に形成された表示部４２が略直角で構成されている。
天井部４１の側面にあたる天井部側面４３には係合溝４４が形成されており、飾り具４０とキャップ本体２０と嵌合した時は、キャップ本体の係合突起２７と係合される。天井部４１の裏側の略中心位置に略円柱形状の中心柱４５が形成されている。中心柱４５は、中心部には円形の穴である中心穴４６を側面には表面が円弧状の突起である取付段部４７が形成されている。中心穴４６は、天井部４１表面のヒケによる窪み防止とキャップ本体のゲート穴２５の底面のゲート残りによって、飾り具４０がキャップ本体２０への嵌合不良を防ぐために形成する。取付段部４７は、飾り具４０がキャップ本体２０に嵌合した際に、キャップ本体の被取付段部２４と嵌合するように形成されている。本出願の図面からは、円弧状の突起を二つ連ねて形成されているが、キャップ本体２０が嵌合すれば、特に形状や突起上限数の制限は無い。表示部４２の裏側には下端方向から見て凸型で開口したスライド溝４８が形成されている。スライド溝４８は、被スライド部に該当し、キャップ本体のスライド突起２９と嵌合することで、手や爪等で表示部を引っ掛けた時でも、容易に表示部を浮き上がらせない効果もある。更に表示部４２の側面には嵌合突起４９が形成してもよい。嵌合突起４９はキャップ同士の連結時において、キャップ本体２０の係合突起２７と嵌合する。それにより、更にキャップ同士の連結力がアップし、かつ嵌合時にパチンと音が出やすくなるので、連結の確認が容易になる。更に長期間連結状態による連結力の低下を防ぐことができる。
【００１６】
飾り具４０は、キャップ本体２０と一度に一体で成形加工すると、成形後において肉厚部である表示部４１の表面がヒケにより窪んでしまうため、表示の点から好ましくない。そのため、別体で成形することが望ましい。
【００１７】
図６は、飾り具４０のキャップ本体２０への取り付け方の表示部４２から見た斜視連続図である。取り付け方は、図６の（ａ）、（ｂ）、（ｃ）の順で飾り具４０はキャップ本体２０の上端側から下端側にスライドして嵌合する。飾り具４０のキャップ本体２０への嵌合は、係合溝４４と取付段部４７とスライド溝４８の３箇所で嵌合される。飾り具４０をキャップ本体２０に嵌合する際は、上端からキャップ本体２０に飾り具４０を挿入し、キャップ本体のスライド突起２９と飾り具のスライド溝４８、キャップ本体の被取付段部２４と飾り具の取付段部４７、キャップ本体の係合突起２７と飾り具の係合溝４４とを係合させることで、本発明の筆記具用キャップ２が完成する。キャップ２の完成状態において、飾り具の天井部４１とキャップ本体の天井面３１は略同一平面となる。
【００１８】
図７は、飾り具４０のキャップ本体２０への取り付け方の表示部４２を背面からの視点の斜視連続図である。取り付け方は、図６と同様、図７の（ａ）、（ｂ）の順で飾り具４０はキャップ本体２０の上端側から下端側にスライドして嵌合する。飾り具４０取り付け前は、係合突起２７が形成された側の凹部２６の天井面は開放されているが、キャップ２の完成状態では、飾り具４０に天井面は塞がれ、表示部４２の略同一形状に形成される。
【００１９】
図８は、キャップ２の連結状態と連結方法を示した斜視図。図９、図１０は、キャップ２の連結状態を示した筆記具における平面図と断面図である。
キャップ２の凸部は飾り具の表示部４２であり、キャップの凹部はキャップ本体の凹部２６と飾り具４０で覆われた空間で形成され、飾り具の表示部４２と略同一形状である。キャップ又は筆記具同士の連結は、キャップの凸部とキャップの凹部との嵌合によって行われ、キャップ本体の係合突起２７と飾り具の表示部４２を嵌合することにより連結が可能となる。表示部４２は係合突起２７に圧入するため、係合突起２７との圧入代は０．１５ｍｍが望ましい。又は表示部４２の側面に嵌合突起２９を形成し、係合突起２７と嵌合突起２９とで嵌合する場合は、更に連結力のアップとキャップ２同士の取付け取外し動作の繰り返しによる連結部の摩耗を防ぐことができる。この場合、適正な連結の取付力と耐摩耗性を考慮し、嵌合代は０．１５ｍｍが望ましい。
【００２０】
図１１は、本実施形態の変形例１のおける連結状態である。図１１（ａ）は、キャップ同士の連結状態を表示部上端から見た斜視図、図１１（ｂ）は連結状態を背面から見た斜視図である。
【００２１】
図１２は、本実施形態の変形例１のキャップ２の部品図と外観図である。図１２（ａ）は平面図、図１２（ｂ）は正面図、図１２（ｃ）は図１２（ｂ）を下から見た図、図１２（ｄ）は側面図、図１２（ｅ）は側面斜視図、図１２（ｆ）は背面斜視図となっている。上述した実施形態におけるキャップ本体２０の外筒部２１が、略四角形とは異なり八面で構成された八角形となっている。八面のうち中心対称の二面に凹部と凸部があり、同様のキャップの凸部と凹部とで連結できるようになっている。
【００２２】
図１３は、本実施形態の連結状態における変形例２及び変形例３である。図１３（ａ）は、キャップ同士の連結状態を表示部上端側から見た斜視図、図１３（ｂ）は連結状態を背面から見た斜視図である。
【００２３】
図１４は、本実施形態の変形例２及び変形例３のキャップ２の外観図である。図１４（ａ）は平面図、図１４（ｂ）は正面図、図１４（ｃ）は図１４（ｂ）を下から見た図、図１４（ｄ）は側面図、図１４（ｅ）は側面斜視図、図１４（ｆ）は背面斜視図となっている。キャップ本体２０が上端から見て円形で構成されている。キャップ本体２０の円形の中心対称に凹部と凸部があり、同様のキャップの凸部と凹部とで連結できるようになっている。変形例２と変形例３の違いは、キャップ本体２０と飾り具４０との嵌合方法が異なっている。
【００２４】
図１５は、本実施形態の変形例２におけるキャップ本体２０の部品図である。図１５（ａ）は図１５（ｃ）の左側面図、図１５（ｂ）は平面図、図１５（ｃ）は正面図、図１５（ｄ）は図１５（ｃ）の下から見た図である。キャップ本体２０の凹部２６には、外周面側に短い上辺がある略台形形状のスライド溝４８がある。本実施形態とは異なり、キャップ本体２０の方にスライド溝４８を形成している。スライド溝４８の中心対称には飾り具４０の表示部４２と嵌合する凹部２８が形成されている。天井面３１の略中心には飾り具４０と嵌合する被取付段部２４とゲート穴２５が形成されている。
【００２５】
図１６は、本実施形態の変形例２における飾り具４０の部品図である。図１６（ａ）は平面図、図１６（ｂ）は左側面図、図１６（ｃ）は正面図、図１６（ｄ）は右側面図、図１６（ｅ）は図１６（ｃ）の下から見た図である。略台形形状のスライド突起２９を形成し、キャップ本体２０のスライド溝４８に挿入することで嵌合する。天井部４１の背面の略中心部にはキャップ本体２０のゲート穴２５に挿入する中心柱４５と被取付段部２４と嵌合する取付段部４７が形成されている。
【００２６】
図１７は、本実施形態の変形例３におけるキャップ本体の部品図である。図１７（ａ）は図１７（ｃ）の左側面図、図１７（ｂ）は平面図、図１７（ｃ）は正面図、図１７（ｄ）は図１７（ｃ）の下から見た図である。変形例２と異なる点は、略円形状のスライド溝４８が形成されている点である。その他については、変形例２のキャップ本体と同様である。
【００２７】
図１８は、本実施形態の変形例３における飾り具の部品図である。図１８（ａ）は平面図、図１８（ｂ）は左側面図、図１８（ｃ）は正面図、図１８（ｄ）は右側面図、図１８（ｅ）は図１８（ｃ）の下から見た図である。略円形状のスライド突起２９を形成されている。キャップ本体２０のスライド溝４８に挿入することで、飾り具４０が取り付けられるようになっている。その他については、変形例２の飾り具と同様である。
【産業上の利用可能性】
【００２８】
本発明は、キャップに取り付けた飾り具が取り外れの心配が無く、装飾性に優れ、キャップ同士が連結できることで娯楽性も提供できる筆記具のキャップであるため、産業に役立つものである。
【符号の説明】
【００２９】
１  筆記具軸
２  キャップ
１０  軸体
１１  ペン先
１２  インクタンク
１３  バルブ
１４  外嵌合部
２０  キャップ本体
２１  外筒部
２２  内筒部
２３  通気孔
２４  被取付段部
２５  ゲート穴
２６  凹部
２７  係合突起
２８  凹部
２９  スライド突起
３０  内嵌合部
３１  天井面
３２  外周面
４０  飾り具
４１  天井部
４２  表示部
４３  天井部側面
４４  係合溝
４５  中心柱
４６  中心穴
４７  取付段部
４８  スライド溝
４９  嵌合突起
【図１】
2010120370.tif 000003
【図２】
2010120370.tif 000004
【図３】
2010120370.tif 000005
【図４】
2010120370.tif 000006
【図５】
2010120370.tif 000007
【図６】
2010120370.tif 000008
【図７】
2010120370.tif 000009
【図８】
2010120370.tif 000010
【図９】
2010120370.tif 000011
【図１０】
2010120370.tif 000012
【図１１】
2010120370.tif 000013
【図１２】
2010120370.tif 000014
【図１３】
2010120370.tif 000015
【図１４】
2010120370.tif 000016
【図１５】
2010120370.tif 000017
【図１６】
2010120370.tif 000018
【図１７】
2010120370.tif 000019
【図１８】
2010120370.tif 000020